(57)【要約】【課題】鋸刃の起動時の急激な切断を抑制するとともに、鋸刃の停止時に停止した鋸刃の切断面への接触を抑制することによって奇麗な加工材の切断面を実現することができる卓上切断機を提供すること。【解決手段】ベース上方にて前後移動し且つベース上面に対して上下回動するヘッド部７を設け、該ヘッド部７内には切断刃物部を設け、該切断刃物部を駆動するためのモータ１を設けて成る卓上切断機において、前記切断刃物部の駆動開始時又は駆動停止時或は何れの場合において生じる反動を抑制する反動抑制機構３０を設ける。【選択図】図１
2008229857.tif 000002
【特許請求の範囲】
【請求項１】
ベース上方にて前後移動し且つベース上面に対して上下回動するヘッド部を設け、該ヘッド部内には切断刃物部を設け、該切断刃物部を駆動するためのモータを設けて成る卓上切断機において、
前記切断刃物部の駆動開始時又は駆動停止時或は何れの場合において生じる反動を抑制する機構を設けたことを特徴とする卓上切断機。
【請求項２】
反動を抑制する機構を前記ヘッド部に設けたことを特徴とする請求項１記載の卓上切断機。
【請求項３】
反動を抑制する機構にソレノイドを使用することを特徴とする請求項１又は２記載の卓上切断機。
【請求項４】
反動を抑制する機構をソレノイドとバネとで構成したことを特徴とする請求項１〜３の何れかに記載の卓上切断機。
【請求項５】
反動を抑制する機構を前記ヘッド部に付随するハンドル部に設けたことを特徴とする請求項１〜４の何れかに記載の卓上切断機。
【請求項６】
前記ソレノイドの可動芯の可動方向をヘッド部回動の略接線方向としたことを特徴とする請求項３又は４記載の卓上切断機。
【請求項７】
前記ソレノイドをＡＣソレノイドとしたことを特徴とする請求項３，４又は６記載の卓上切断機。
【請求項８】
反動を抑制する機構に回転体を駆動させることを特徴とする請求項１〜７の何れかに記載の卓上切断機。
【発明の詳細な説明】
【技術分野】
【０００１】
本発明は、ベース上方にて前後移動し且つベース上面に対して上下回動するヘッド部を設け、該ヘッド部内には切断刃物部を設け、該切断刃物部を駆動するためのモータを設けて成る卓上切断機に関するものである。
【背景技術】
【０００２】
従来の卓上切断機を図７〜図１０に基づいて説明する。
【０００３】
図７〜図１０は従来の卓上切断機の側面図あり、図示の卓上切断機のテーブル４の上面には加工材３が設置され、モータ１が駆動することによって動力がベルト２２及びギヤ２３を経て鋸刃２に伝達されて該鋸刃２が回転駆動される。鋸刃２が回転すると加工材３が切断されるが、切断の工程の一例を図７〜図１０に従って説明する。
【０００４】
作業者は図７に示す状態よりハンドル６を持ち作業者手前側（図７の右方向）にヘッド部７をスライド移動させる。ヘッド部７を図８の位置まで移動させた後、スイッチ８を握りモータ１を起動して鋸刃２を回転させる。ハンドル６を下方向（図８の下方向）に移動させると、ヘッド部７が回動軸１７を中心として回動下降し、加工材３が鋸刃２によって切断され始める。
【０００５】
図９に示すようにヘッド部７の回動が下死点まで到達した後に作業者がハンドル６を奥側（図９における左方向）へ押し込むことによって、ヘッド部７をスライド移動させながら切断作業を続ける。図１０に示すように、奥方向（図１０の左方向）まで押し終わった時点で加工材３の切断が終了し、作業者はスイッチ８を開放し、モータ１及び鋸刃２の動作を停止させる。
【特許文献１】特開平１１−１７０２１４号公報
【発明の開示】
【発明が解決しようとする課題】
【０００６】
図７〜図１０に示す従来の卓上切断機においては、作業者がスイッチ８を握って鋸刃２を回転させる場合、鋸刃２の回転加速中においては、その加速度に応じた反力が生じ、その反力はヘッド部７を上方向に回動させるように働く。又、作業者がスイッチ８を開放して鋸刃を停止させる場合、鋸刃２の回転減速中においては、その加速度に応じた反力がド部内その反力はヘッド部７を下方向に回動させるように働く。
【０００７】
従来の卓上切断機において、作業者が切断作業を行う場合、作業者は切断を開始する際、鋸刃刃２を起動させる前にハンドル６を下方向へ移動させ、鋸刃２と加工材３を近接させて切断位置を合わせた後、鋸刃２と加工材３が近接した状態にてスイッチ８を握って鋸刃２を起動させる場合がある。この場合、起動時の反動はヘッド部７を上方向に回動させるように働くが、作業者はハンドル６を保持しているため、作業者は無意識にヘッド部７を上方向に回動させる力を抑制するようハンドル６を押し下げる力を加えるため、ハンドル６を押し下げる力にて加工材３を急激に切断してしまう場合が生じる。その際、急激に切断してしまうため、切断面が荒れてしまうといった問題が生じてしまう。
【０００８】
又、従来の構造において、加工材３の切断が終了し、作業者はスイッチ８を開放し、モータ１及び鋸刃２の動作を停止させた場合において、停止時の反動はヘッド部７を下方向に回動させるように働くため、切断終了後の加工材３の切断面に停止した鋸刃２が擦れ合ってしまう場合が生じ、切断面が荒れてしまうといった問題が生じてしまう。
【０００９】
本発明は上記問題に鑑みてなされたもので、その目的とする処は、鋸刃の起動時の急激な切断を抑制するとともに、鋸刃の停止時に停止した鋸刃の切断面への接触を抑制することによって奇麗な加工材の切断面を実現することができる卓上切断機を提供することにある。
【課題を解決するための手段】
【００１０】
上記目的を達成するため、請求項１記載の発明は、ベース上方にて前後移動し且つベース上面に対して上下回動するヘッド部を設け、該ヘッド部内には切断刃物部を設け、該切断刃物部を駆動するためのモータを設けて成る卓上切断機において、前記切断刃物部の駆動開始時又は駆動停止時或は何れの場合において生じる反動を抑制する機構を設けたことを特徴とする。
【００１１】
請求項２記載の発明は、請求項１記載の発明において、反動を抑制する機構を前記ヘッド部に設けたことを特徴とする。
【００１２】
請求項３記載の発明は、請求項１又は２記載の発明において、反動を抑制する機構にソレノイドを使用することを特徴とする。
【００１３】
請求項４記載の発明は、請求項１〜３の何れかに記載の発明において、反動を抑制する機構をソレノイドとバネとで構成したことを特徴とする。
【００１４】
請求項５記載の発明は、請求項１〜４の何れかに記載の発明において、反動を抑制する機構を前記ヘッド部に付随するハンドル部に設けたことを特徴とする。
【００１５】
請求項６記載の発明は、請求項３又は４記載の発明において、前記ソレノイドの可動芯の可動方向をヘッド部回動の略接線方向としたことを特徴とする。
【００１６】
請求項７記載の発明は、請求項３，４又は６記載の発明において、前記ソレノイドをＡＣソレノイドとしたことを特徴とする。
【００１７】
請求項８記載の発明は、請求項１〜７の何れかに記載の発明において、反動を抑制する機構に回転体を駆動させることを特徴とする。
【発明の効果】
【００１８】
本発明によれば、切断刃物部の駆動開始時又は駆動停止時或は何れの場合において生じる反動を抑制する機構を設けたため、鋸刃の起動時の急激な切断を抑制するとともに、鋸刃の停止時に停止した鋸刃の切断面への接触を抑制することによって奇麗な加工材の切断面を実現することができる。
【発明を実施するための最良の形態】
【００１９】
以下に本発明の実施の形態を添付図面に基づいて説明する。
【００２０】
図１は本発明に係る卓上切断機の側面図であり、図示の卓上切断機においては、テーブル４の上面に加工材３が設置され、モータ１が起動されることによって動力がベルト２２とギヤ２３を経て鋸刃２伝達され、該鋸刃２が所定の速度で回転駆動される。このように鋸刃２が回転することによって加工材３が切断される。切断の工程は図７〜図１０に示した従来の卓上切断機での切断工程と全く同様である。
【００２１】
図１に示す本発明に係る卓上切断機には反動抑制機構３０が設けられている。作業者がスイッチ８を握って鋸刃２を回転させる場合、該鋸刃２の回転加速中においては、その加速度に応じた反力が生じ、その反力はヘッド部７を上方向に回動させるように働くが、反動抑制機構３０はこのヘッド部７を下方向に回動させるように力を働かせ、ヘッド部７の起動時の反動を抑制する。
【００２２】
又、作業者がスイッチ８を開放して鋸刃２を停止させる場合、鋸刃２の回転減速中においては、その加速度に応じた反力が生じ、その反力はヘッド部７を下方向に回動させるように働くが、反動抑制機構３０はこのヘッド部７を上方向に回動させるように力を働かせてヘッド部７の停止時の反動を抑制する。
【００２３】
そして、本実施の形態に係る卓上切断機においては、反動抑制機構３０はヘッド部７に設けられているため、ヘッド部７に対して反動を抑制する力を容易に生じさせることが可能となる。
【００２４】
図２はソレノイドを使用した反動抑制機構３０の断面図である。
【００２５】
図２に示すように、反動抑制機構３０は、上方ソレノイド３１と下方ソレノイド３２及びプランジャ３３で構成されている。鋸刃２が停止している場合、プランジャ３３には外力が働かないため、該プランジャ３３は自重により下方ソレノイド３２側に位置している。作業者がスイッチ８を握って鋸刃２を回転させる場合、スイッチ８に連動して上方ソレノイド３１が駆動され、プランジャ３３は図３に示す上方位置へ移動する。プランジャ３３が上方向へ移動する反力は上方ソレノイド３１を下方向へ押し下げ、ソレノイド３１と連結したヘッド部７を押し下げることが可能となり、起動時にヘッド部７を上方向に回動することを抑制する反動抑制機構となる。
【００２６】
鋸刃２の回転時、つまりスイッチ８が入っている状態では、上方ソレノイド３１には常に通電されており、プランジャ３３は上方向位置している。作業者がスイッチ８を開放して鋸刃２を停止させる場合、スイッチ８の開放と連動して下方ソレノイド３２が駆動され、プランジャ３３は図２に示す下方位置へ移動する。プランジャ３３が下方向へ移動する反力は下方ソレノイド３２を上方向へ押し上げ、下方ソレノイド３２と連結したヘッド部７を押し上げることが可能となり、停止時にヘッド部７を下方向に回動することを抑制する反動抑制機構となる。
【００２７】
図４は反動抑制機構３０の別の形態を示す断面図であり、図示の反動抑制機構３０は、ソレノイドとバネを使用したものである。
【００２８】
この反動抑制機構３０は、上方ソレノイド３１、下方ソレノイド３２、プランジャ３３及びバネ３４で構成されている。鋸刃２が停止している場合、プランジャ３３はバネ３４の付勢力によって上方ソレノイド３１と下方ソレノイド３２の略中間に位置している。作業者がスイッチ８を握って鋸刃２を回転させる場合、スイッチ８に連動して上方ソレノイド３１が駆動され、プランジャ３３は上方ソレノイド３１側へ移動する。不図示の制御回路によって上方ソレノイド３１の駆動はスイッチ８が入った後数秒間に限定される。そのため、スイッチ８が入ったときのみ上方ソレノイド３１が駆動され、その後、鋸刃２が回転している最中であっても、プランジャ３３はバネ３４の付勢力によって上方ソレノイド３１と下方ソレノイド３２の略中間に位置に移動する。これにより、鋸刃２が回転中常に上方ソレノイド３１を駆動する必要がなくなり、省エネ化が実現できる。
【００２９】
又、作業者がスイッチ８を開放して鋸刃２を停止させる場合、スイッチ８に連動して下方ソレノイド３２が駆動され、プランジャ３３は下方ソレノイド３２側へ移動する。プランジャ３３の移動の反力によって、前記同様にヘッド部７の反動を抑制することが可能となる。
【００３０】
又、図５はソレノイドを使用した反動抑制機構３０をハンドル６の内部に設置した例を示す卓上切断機の側面図である。
【００３１】
図５に示すように反動抑制機構３０をハンドル６の内部に設置すると、ヘッド部７の回動軸１７と反動抑制機構３０を遠くに設置することが可能となり、反動抑制機構３０で小さな反動抑制力を生じた場合でも、ヘッド部７の回動軸１７との距離が大きいため、高い反動抑制トルクとなり、反動抑制機構３０を小型省エネ化することが可能となる。
【００３２】
又、ソレノイドを使用した反動抑制機構３０において、プランジャ３３の可動軸３５をヘッド部７の回動の略接線方向とすることによって、ヘッド部７の回動方向に対して効率良く反動抑制トルクを与えることが可能となる。
【００３３】
更に、使用するソレノイドをＡＣソレノイドとすることによって、ソレノイドの駆動を一般交流電源で行うことができるため、スイッチング電源等が不要になり、安価にソレノイドを駆動することが可能となる。
【００３４】
図６は別の反動抑制機構として慣性体を使用した例を示す卓上切断機の側面図である。
【００３５】
図６に示す卓上切断機において、モータ１の不図示の回転子は鋸刃刃２の回転方向３７と逆の回転方向３８で回転するため、反動抑制機構として、回転慣性体３６をモータ１の回転子に設置することによって、鋸刃２の回転加速中に生じた反力を相殺する力を回転慣性体３６に発生させることができる。これにより、鋸刃２の起動時及び停止時の何れにおいても反動を抑制することが可能となる。
【００３６】
以上のように、本発明によれば、鋸刃２の起動時の急激な切断を抑制することができるとともに、鋸刃２の停止時に停止した鋸刃２の切断面への接触を抑制することができ、加工材３の奇麗な切断面を実現することができる。
【図面の簡単な説明】
【００３７】
【図１】本発明に係る卓上切断機の側面図である。
【図２】本発明に係る卓上切断機に設けられた反動抑制機構を示す断面図である。
【図３】本発明に係る卓上切断機に設けられた反動抑制機構を示す断面図である。
【図４】本発明に係る卓上切断機に設けられた反動抑制機構の別形態を示す断面図である。
【図５】ソレノイドを使用した反動抑制機構をハンドルの内部に設置した例を示す卓上切断機の側面図である。
【図６】慣性体を使用した反動抑制機構を備えた卓上切断機の側面図である。
【図７】従来の卓上切断機の側面図である。
【図８】従来の卓上切断機の側面図である。
【図９】従来の卓上切断機の側面図である。
【図１０】従来の卓上切断機の側面図である。
【符号の説明】
【００３８】
１      モータ
２      鋸刃
３      加工材
４      テーブル
６      ハンドル
７      ヘッド部
８      スイッチ
１７    回動軸
２２    ベルト
２３    ギヤ
３０    反動抑制機構
３１    上方ソレノイド
３２    下方ソレノイド
３３    プランジャ
３４    バネ
３５    可動軸
３６    回転慣性体
【図１】
2008229857.tif 000003
【図２】
2008229857.tif 000004
【図３】
2008229857.tif 000005
【図４】
2008229857.tif 000006
【図５】
2008229857.tif 000007
【図６】
2008229857.tif 000008
【図７】
2008229857.tif 000009
【図８】
2008229857.tif 000010
【図９】
2008229857.tif 000011
【図１０】
2008229857.tif 000012